(57)【特許請求の範囲】
【請求項１】
前後方向に伸縮可能で左右方向に折りたたみ可能に接続された譜面台であって、
水平状態から略中央部の接続部が上昇するように左右方向に折りたたみ可能に連結された一対の第１譜面受け棒と、
該一対の第１譜面受け棒のそれぞれに該第１譜面受け棒を折りたたみ可能に接続され、垂直方向に立ち上がった状態で該第１譜面受け棒を支持する一対の第１支持棒と、
前記第１譜面受け棒と異なる位置で両端が前記一対の第１支持棒のそれぞれに接続され、水平状態から略中央部の接続部が上昇するように左右方向に折りたたみ可能に連結された一対の第１連結棒と、
からなる第１譜面受け部と、
水平状態から略中央部の接続部が上昇するように左右方向に折りたたみ可能に連結された一対の第２譜面受け棒と、
該一対の第２譜面受け棒のそれぞれに該第２譜面受け棒を折りたたみ可能に接続され、垂直方向に立ち上がった状態で該第２譜面受け棒を支持する一対の第２支持棒と、
前記第２譜面受け棒と異なる位置で両端が前記一対の第２支持棒のそれぞれに接続され、水平状態から略中央部の接続部が上昇するように左右方向に折りたたみ可能に連結された一対の第２連結棒と、
からなる第２譜面受け部と、
前記一対の第１譜面受け部と前記一対の第２譜面受け部が前後方向に伸縮可能に接続されたタスキステー部と、
からなることを特徴とする譜面台。
【請求項２】
請求項１記載の譜面台において、
前記一対の第１支持棒の長さと前記一対の第２支持棒の長さを異ならせることに
より前後方向に傾斜させる
ことを特徴とする譜面台。
【発明の詳細な説明】
【技術分野】
【０００１】
本発明は、譜面台に関し、さらに詳細には邦楽用譜面台に好適な譜面台に関する。
【背景技術】
【０００２】
邦楽等の演奏では、座って演奏する場合は楽譜を前方の床に置いて演奏する。楽譜
の文字は小さいため床に置いたのでは遠くて見づらいので、一般的に楽譜を譜面台に載せて演奏する。
演奏会では、タイムスケジュールに沿った運営が行われるため、演奏者にも時間短
縮の協力が求められる。演奏開始前、演奏終了後の舞台転換では、演奏者自身が楽器に加え譜面台を持ち配置や撤去を行っている。
その為、譜面台は持ち運びやすく、管理しやすい、組み立てやすいものが好まれて
いる。
【先行技術文献】
【特許文献】
【０００３】
【特許文献１】公開実用新案  平３―４２１９６号公開（第２図）
【発明の概要】
【発明が解決しようとする課題】
【０００４】
譜面台は、木製、金属製、アルミ製などの素材で複数のパーツを簡易的な組立式で
譜面受けと脚部を繋ぎ合わせるものや、時として琴用の小さい座奏用の譜面台を横に複数台並べて使用する。しかしおよそ邦楽演奏のイメージにはそぐわない。また、立奏用の譜面台の支柱を低くしても、座奏には高く適切でなかった。
邦楽用の譜面台は、横に長いため、そのままの形で持ち運ぶには不都合で複数のパーツに分解し、例えば譜面受け部は１パーツで脚部は２パーツにして運並びそのまま保管している。
また、譜面台は横に長く大きいためそのままでは保管スペース上の課題もあった。さらに、分解すると複数のパーツになり持ち運びの不便さや部品の忘却という管理上の課題もあった。
【課題を解決するための手段】
【０００５】
前後方向に伸縮可能で左右方向に折りたたみ可能に接続された譜面台であって、
水平状態から略中央部の接続部が上昇するように左右方向に折りたたみ可能に連結された一対の第１譜面受け棒と、
該一対の第１譜面受け棒のそれぞれに該第１譜面受け棒を折りたたみ可能に接続され、垂直方向に立ち上がった状態で該第１譜面受け棒を支持する一対の第１支持棒と、
前記第１譜面受け棒と異なる位置で両端が前記一対の第１支持棒のそれぞれに接続され、水平状態から略中央部の接続部が上昇するように左右方向に折りたたみ可能に連結された一対の第１連結棒と、
からなる第１譜面受け部と、
水平状態から略中央部の接続部が上昇するように左右方向に折りたたみ可能に連結された一対の第２譜面受け棒と、
該一対の第２譜面受け棒のそれぞれに該第２譜面受け棒を折りたたみ可能に接続され、垂直方向に立ち上がった状態で該第２譜面受け棒を支持する一対の第２支持棒と、
前記第２譜面受け棒と異なる位置で両端が前記一対の第２支持棒のそれぞれに接続され、水平状態から略中央部の接続部が上昇するように左右方向に折りたたみ可能に連結された一対の第２連結棒と、
からなる第２譜面受け部と、
前記一対の第１譜面受け部と前記一対の第２譜面受け部が前後方向に伸縮可能に接続されたタスキステー部と、
からなることを特徴とする譜面台である。
【発明の効果】
【０００６】
本発明は、使用時に広い譜面受けを有する譜面台を、伸縮及び折りたたみを組み合
わせることにより小型化し持ち運びが容易となる効果が得られる。
また、その際に譜面台を複数のパーツに分解することなく小型化することができる
ので片手で持つことができる。
【図面の簡単な説明】
【０００７】
【図１】この発明による譜面台を開いた状態で演奏者側から見た斜視図である。
【図２】この発明による譜面台を開いた状態の上からの平面図である
【図３】この発明による譜面台を開いた状態の演奏者側から見た正面図である。
【図４】この発明による譜面台で開いた状態の右側面図である。
【図５】この発明による譜面台を開閉過程の正面図である。
【図６】この発明による譜面台を閉じた状態の正面図である。
【図７】この発明による譜面台の図６の右側面図である。
【図８】この発明による譜面台を前後に縮めた右側面図である。
【図９】この発明による譜面台を開いた状態で演奏者側から見た斜視図において接続部を詳細に示す斜視図である。
【発明を実施するための形態】
【０００８】
図１、図３及び図９に示すように、譜面台１はベンチ型に形成した複数の譜面受け
部１００、２００、３００からなる。
譜面受け部１００、２００、３００は、演奏者側の正面から前後に複数並べそれぞれタスキステー部４００で前後に伸縮可能に接続し一体型とした。
【０００９】
図１、図３及び図９において、演奏者側から見て一番手前側の第１譜面受け部１００は、右第１譜面受け棒１１１と左第１譜面受け棒１２１、右第１支持棒１１２と左第１支持棒１２２、右第１連結棒１１３と左第１連結棒１２３、及び第1つなぎ棒１３０からなる。
第１譜面受け部１００は、図５及び図９に示すように、
右第１譜面受け棒１１１とこれと同じ長さの左第１譜面受け棒１２１で対向する端部の下面は蝶番部１４０で連結し、中央部の連結部は水平状態から上昇するよう左右が折りたたみ可能に連結する。
右第１支持棒１１２は、右第１譜面受け棒１１１の下面に垂直に配置し、その接する外側に蝶番部１４０で接続する。その接続した蝶番部１４０は折りたたむと右第１譜面受け棒１１１の端部が右第１支持棒１１２に接する。
右第１支持棒１１２と同じ長さの左第１支持棒１２２は、左第１譜面受け棒１２１の下面に垂直に配置し、その接する外側に蝶番部１４０で接続する。その接続した蝶番部１４０は折りたたむと左第１譜面受け棒１２１の端部が左第１支持棒１２２に接する。
右第１連結棒１１３とこれと同じ長さの左第１連結棒１２３で対向する端部の下面に蝶番部１４０で連結し、中央部の連結部は水平状態から上昇するよう左右が折りたたみ可能に連結する。また、右第１連結棒１１３の一方の端部は、右第１支持棒１１２の下部内側に直角に配置し、その接する内側に蝶番部１４０で接続する。左第１連結棒１２３の一方の端部は、左第１支持棒１２２の下部内側に直角に配置し、その接する内側に蝶番部１４０で接続する。譜面受け棒と連結棒は、水平状態で平行となり全ての棒をつなぎ併せた内側は四角形を構成し、第１譜面受け部１００はベンチ型の形状とした。
なお、第１譜面受け部と第１連結棒の連結部近傍を第１つなぎ棒１３０で接続する
ことで折りたたみを連動させることができる。
また、右第１連結棒１１３と左第１連結棒１２３の連結面に平面固定用に取り外し可能で上面が開かないようにするための面ファスナーやカギのロック部材６００を備えても良い。
本形態において  第１譜面受け部１００、第２譜面受け部２００、第３譜面受け部
３００の３対で構成されているが、第２譜面受け部２００と第３譜面受け部３００は、第１譜面受け部１００と同様に構成したため説明を省略する。
【００１０】
図１、図２及び図９に示すように、本発明においてタスキステー部４００は、端部
で重ね合わせ開閉可能に接続し、一方の端部をそれぞれ隣接する譜面受け部１００、２００間、又は２００、３００間に開閉可能に接続する。
タスキステー部４００の第２譜面受け部２００と第３譜面受け部３００間は、第１
譜面受け部１００と同様である。このタスキステー部４００は、譜面受け部１００、２００間であれば図に示すように譜面受け部、具体的にはタスキステー部４００は右第１譜面受け棒と右第２譜面受け棒間に２箇所、左第１譜面受け棒と左第２譜面受け棒間に２箇所、右第１支持棒と右第２支持棒に１箇所、左第１支持棒と左第２支持棒間に１箇所設置するのが好ましいが、必要に応じて増加させてもよい。
各譜面受け棒間の第１の重ね合わせの端部どうしを譜面補助部材５００で接続し連動して動くようにした。譜面補助部材５００の設置は、楽譜が落ちないことを想定し用いることでも良い。
【００１１】
本発明では、第１譜面受け部１００と第２譜面受け部と第３譜面受け部の各左右の譜面受け棒の長さについて、同一線上で同一の長さにしたが、左右の譜面受け棒の長さが同一線上で異なることでも実現できる。
【００１２】
図１、図３及び図４に示すように、第１譜面受け部１００と第２譜面受け部２００と第３譜面受け部３００の一対の支持棒の長さを異ならせることにより譜面台１の上面を傾斜させることができる。
なお、譜面台１の上面を傾斜させた時は、右第１譜面受け棒１１１に右滑り止め棒７１０、左第１譜面受け棒１２１に左滑り止め棒７２０を設置すると良い。
【００１３】
本発明において、譜面台１は、木、プラスチック、鉄、アルミニウム・紙などを想
定したが他の素材でも作成することができる。
蝶番部１４０は、蝶番、ゴム、布としたがこれに替えて他品種や他素材ですることができる。
ロック部材６００は、平面が水平で固定化できるものであれば木・鉄・プラスチック・アルミニウム・布・ビニール・紙などの素材ですることもできる。
【００１４】
図１及び図９に示すように、譜面台１は、第１譜面受け部１００と第２譜面受け部
２００及び第３譜面受け部３００の各譜面受け棒の外側にさらに各譜面受け棒を追加し蝶番部１４０で接続し、外側に回転させ水平を保持することで譜面受け部の横が長くなり、より広い譜面台１ができ活用することができる。
【００１５】
折りたたみ方法について説明する。
図５から図６に示すように、譜面台１を閉じる場合は、譜面受け部の中央を持ち上
げると、右譜面受け棒と左譜面受け棒の両端がそれぞれ左右の支持棒に接近し、垂直方向に立ち上がっている右支持棒と左支持棒が相互に近づき、連結棒の中央部が上へ移動し折りたたむことができる。図７で示すのは側面からの状態となる。
縮める方法について説明する。
図７から図８で示すように、支持棒と譜面受け棒の前後を縮めることで図８に示す
小型化した譜面台１となる。
組み立てる場合は、折りたたみと縮める逆の手順で行うことができる。
【００１６】
図１及び図９に示すように、タスキステー部４００、蝶番部１４０、ロック部材６
００の位置は、この図に示していない場所で前後又は左右にずらしても良い。
また、譜面台１は、方法、構成、素材など記載内容に限らずさまざまな変更を可能
とすることができる。
【００１７】
図８に示すように、前後縮め左右に折りたたみ小型化した譜面台１は片手で持つことができる。
【００１８】
、
本発明の譜面台１は、立奏、和楽演奏、洋楽演奏、長唄台、朗読の書籍台、お経台などさまざまな用途で利用することができる。
【実施例】
【００１９】
本発明は木材で作成した場合の実施例を以下にて説明する。
図１〜図９において、傾斜角度を１３度とした。
第１譜面受け部、第２譜面受け部、第３譜面受け部の各譜面受け棒は、
幅２．５ｃｍ、長さ４２ｃｍ、厚さ０．９ｃｍ
第１譜面受け部の支持棒は、幅２．５ｃｍ、長さ２６ｃｍ、厚さ０．９ｃｍ
第２譜面受け部の支持棒は、幅２．５ｃｍ、長さ２９ｃｍ、厚さ０．９ｃｍ
第３譜面受け部の支持棒は、幅２．５ｃｍ、長さ３２ｃｍ、厚さ０．９ｃｍ
連結棒は、幅２．５ｃｍ、長さ１６．５ｃｍ、厚さ０．９ｃｍ
滑り止め棒は、幅２ｃｍ、長さ２５ｃｍ、厚さ０．５ｃｍ
第１譜面受け部のつなぎ棒は、幅０．９ｃｍ、長さ２５ｃｍ、厚さ０．３ｃｍ
第２譜面受け棒のつなぎ棒は、幅０．９ｃｍ、長さ２８ｃｍ、厚さ０．３ｃｍ
第３譜面受け棒のつなぎ棒は、幅０．９ｃｍ、長さ３１ｃｍ、厚さ０．３ｃｍ
蝶番部は、縦２．５ｃｍ、横１ｃｍ
タスキステー部は、幅２ｃｍ、長さ９ｃｍ、厚さ０．３ｃｍ
譜面補助部材は、幅０．９ｃｍ、長さ３６ｃｍ、厚さ０．９ｃｍ
ロック部材は、長さ１０ｃｍ、幅２ｃｍの布テープ
以上の構成で作り譜面台１ができる。
【符号の説明】
【００２０】
１      譜面台
１００  第１譜面受け部
１１１  右第１譜面受け棒
１１２  右第１支持棒
１１３  右第１連結棒
１２１  左第１譜面受け棒
１２２  左第１支持棒
１２３  左第１連結棒
１３０  第１つなぎ棒
１４０  蝶番部
２００  第２譜面受け部
３００  第３譜面受け部
４００  タスキステー部
５００  譜面補助部材
６００  ロック部材
７１０  右滑り止め棒
７２０  左滑り止め棒
【要約】
【課題】
譜面受け部と脚部が連動で一体化し伸縮と折りたたみで小型化した譜面台を提供する。
【解決手段】
譜面台１は、複数の棒の譜面受け部と複数の棒の支持棒と複数の棒の連結棒を蝶番
部とタスキステー部で接続し、折りたたみと縮めることによって小型化を図った。閉じた状態の譜面台１で、最も外側にある左右の譜面受け棒はタスキステー部を介して前後方向に伸ばし、同時に左右の支持棒もタスキステー部を介して前後方向に広がり、譜面受け棒と支持棒の幅が同じになる。
【選択図】図１【図１】
0006933790.tif 000002
【図２】
0006933790.tif 000003
【図３】
0006933790.tif 000004
【図４】
0006933790.tif 000005
【図５】
0006933790.tif 000006
【図６】
0006933790.tif 000007
【図７】
0006933790.tif 000008
【図８】
0006933790.tif 000009
【図９】
0006933790.tif 000010